(57)【要約】【課題】簡易な構造にて、内部を流通する流体の温度を低下させずに、蛇腹状の伸縮管の温度上昇を抑制するようにした伸縮管冷却機構を提供することにある。【解決手段】内部に高温の高温流体１を流通させる蛇腹状の伸縮管３を冷却する伸縮管冷却機構１０であって、高温流体１より低温の低温流体４を流通させる配管５を伸縮管３の周囲に設けたことで、高温流体１により高温物体となる伸縮管３と、低温流体４により低温物体となる配管５とが対向して配置されることとなり、伸縮管３は、配管５への熱輻射により空間を通して直接熱を移動させるようにしたことで、高温流体１の温度を低下させずに、伸縮管３の表面温度のみを低下させ、高温流体１による伸縮管３の熱劣化を抑制して、当該伸縮管３の長寿命化を図るようにした。【選択図】図１
2008025754.tif 000002
【特許請求の範囲】
【請求項１】
内部に高温の高温流体を流通させる蛇腹状の伸縮管を冷却する伸縮管冷却機構であって、
前記高温流体より低温の低温流体を流通させる配管を前記伸縮管の周囲に設けた
ことを特徴とする伸縮管冷却機構。
【請求項２】
請求項１に記載された伸縮管冷却機構であって、
前記高温流体と前記低温流体との温度差を２００℃以上にする
ことを特徴とする伸縮管冷却機構。
【請求項３】
請求項１または請求項２に記載された伸縮管冷却機構であって、
前記配管を螺旋状に延在させる
ことを特徴とする伸縮管冷却機構。
【請求項４】
請求項１乃至請求項３の何れかに記載された伸縮管冷却機構であって、
前記伸縮管を覆う筒状部材が、前記配管に接して設けられる
ことを特徴とする伸縮管冷却機構。
【請求項５】
請求項４に記載された伸縮管冷却機構であって、
前記筒状部材を蛇腹状の第２の伸縮管とする
ことを特徴とする伸縮管冷却機構。
【請求項６】
請求項１乃至請求項５の何れかに記載された伸縮管冷却機構であって、
前記配管を複数とし、隣接する配管にて前記低温流体の流通方向を異ならせる
ことを特徴とする伸縮管冷却機構。
【請求項７】
請求項１乃至請求項６の何れかに記載された伸縮管冷却機構であって、
前記伸縮管の内部に、前記高温流体が導入される一方の開口部側からそれが排出される他方の開口部側まで延在する内部配管を配置させ、前記内側配管を前記開口部の一方に固定させる
ことを特徴とする伸縮管冷却機構。
【請求項８】
請求項１乃至請求項７の何れかに記載された伸縮管冷却機構であって、
前記伸縮管にフィンが設けられる
ことを特徴とする伸縮管冷却機構。
【発明の詳細な説明】
【技術分野】
【０００１】
本発明は、伸縮管を冷却する伸縮管冷却機構に関する。
【背景技術】
【０００２】
従来、固体酸化形燃料電池やガスタービンなどでは、高温（例えば、１０００℃）のガス等の流体が流通しており、前記流体の昇温や降温による熱膨張を吸収する配管として、一部に蛇腹状のベローズが形成された伸縮管が用いられている。
【０００３】
【特許文献１】特開平１１−７４１５３号公報
【発明の開示】
【発明が解決しようとする課題】
【０００４】
しかしながら、上述した伸縮管では、その内部を流通する流体の昇温や降温による熱膨張を吸収することができるものの、前記流体が高温でありこの高温の流体と常に接触して伸縮管自体も高温となるため、熱劣化により伸縮管の寿命を短くさせていた。
【０００５】
また、前記伸縮管を高温の流体よりも低温の低温流体による伝熱を利用して直接冷却すると、前記伸縮管のみならずその内部を流通する高温の流体まで温度を低下させてしまい、伸縮管本来の機能である、前記高温の流体の温度を維持したまま送給するという機能を保持することができない可能性があった。さらに、前記高温流体により前記伸縮管は伸縮するため、前記低温流体により前記伸縮管を冷却する機構が複雑となってしまう可能性があった。
【０００６】
ここで、ベローズの昇温を防止する技術として、例えば、特許文献１には、ベローズの端部に熱伝導体（可動リード、固定側取付導体）を介して水冷フランジが固定された真空コンデンサが開示されている。この真空コンデンサでは、前記水冷フランジ内に冷却水を流通させることで、前記ベローズから前記熱伝導体を介して前記水冷フランジへの放熱（伝熱）を促進して、当該ベローズの温度上昇を抑制している。しかしながら、この真空コンデンサでは、ベローズを冷却することができ、上述した伸縮管に水冷フランジを設けることで、当該伸縮管を冷却することができるものの、前記伸縮管がその内部を流通する高温の流体により伸縮するため、前記伸縮管、前記水冷フランジ、および前記高温の流体の送給先の部材の構造が複雑となってしまう可能性があった。
【０００７】
そこで、本発明は、前述した問題に鑑み提案されたもので、簡易な構造にて、内部を流通する流体の温度を低下させずに、蛇腹状の伸縮管の温度上昇を抑制するようにした伸縮管冷却機構を提供することを目的とする。
【課題を解決するための手段】
【０００８】
上述した課題を解決する第１の発明に係る伸縮管冷却機構は、内部に高温の高温流体を流通させる蛇腹状の伸縮管を冷却する伸縮管冷却機構であって、前記高温流体より低温の低温流体を流通させる配管を前記伸縮管の周囲に設けたことを特徴とする。
【０００９】
上述した課題を解決する第２の発明に係る伸縮管冷却機構は、第１の発明に記載された伸縮管冷却機構であって、前記高温流体と前記低温流体との温度差を２００℃以上にすることを特徴とする。
【００１０】
上述した課題を解決する第３の発明に係る伸縮管冷却機構は、第１または第２の発明に記載された伸縮管冷却機構であって、前記配管を螺旋状に延在させることを特徴とする。
【００１１】
上述した課題を解決する第４の発明に係る伸縮管冷却機構は、第１乃至第３の何れかの発明に記載された伸縮管冷却機構であって、前記伸縮管を覆う筒状部材が、前記配管に接して設けられることを特徴とする。
【００１２】
上述した課題を解決する第５の発明に係る伸縮管冷却機構は、第４の発明に記載された伸縮管冷却機構であって、前記筒状部材を蛇腹状の第２の伸縮管とすることを特徴とする。
【００１３】
上述した課題を解決する第６の発明に係る伸縮管冷却機構は、第１乃至第５の何れかの発明に記載された伸縮管冷却機構であって、前記配管を複数とし、隣接する配管にて前記低温流体の流通方向を異ならせることを特徴とする。
【００１４】
上述した課題を解決する第７の発明に係る伸縮管冷却機構は、第１乃至第６の何れかの発明に記載された伸縮管冷却機構であって、前記伸縮管の内部に、前記高温流体が導入される一方の開口部側からそれが排出される他方の開口部側まで延在する内部配管を配置させ、前記内側配管を前記開口部の一方に固定させることを特徴とする。
【００１５】
上述した課題を解決する第８の発明に係る伸縮管冷却機構は、第１乃至第７の何れかの発明に記載された伸縮管冷却機構であって、前記伸縮管にフィンが設けられることを特徴とする。
【発明の効果】
【００１６】
本発明に係る伸縮管冷却機構によれば、高温流体により高温物体となる伸縮管と、低温流体により低温物体となる配管とが対向して配置されることとなり、伸縮管は、配管への熱輻射により空間を通して直接熱を移動させることができる。そのため、前記高温流体の温度を低下させずに、前記伸縮管の表面温度のみを低下させて、当該伸縮管の温度上昇を抑制することができる。その結果、前記高温流体による前記伸縮管の熱劣化を抑制して、当該伸縮管の長寿命化を図ることができる。また、構造自体が簡易であるので、製造コストの増加を抑制することができる。また、前記高温流体と前記低温流体との温度差を２００℃以上とすることで、熱輻射を確実に生じさせて、前記高温流体の温度を低下させずに、前記伸縮管の表面温度のみを低下させて、当該伸縮管の温度上昇を抑制することができる。
【００１７】
本発明に係る伸縮管冷却機構によれば、配管の表面積が広くなり、少ない低温流体での冷却が可能となる。また、配管の熱伸びは横方向に広がることでひずみを吸収できるため当該配管の破損を防止できる。
【００１８】
本発明に係る伸縮管冷却機構によれば、筒状部材を配管に接して設けたことで、低温流体により前記配管および前記筒状部材が低温物体となってその表面積が広くなり、前記高温流体による高温物体となる伸縮管から熱輻射をより効果的に発現させることができる。そのため、前記高温流体の温度を低下させずに、前記伸縮管の表面温度のみをより確実に下げることができる。
【００１９】
本発明に係る伸縮管冷却機構によれば、配管を複数とし、隣接する配管にて低温流体の流通方向を異ならせることにより、配管における低温流体の流入側からその排出側に亘る温度のばらつきを隣接する配管により均一化することができ、伸縮管における高温流体の導入側からその排出側に亘って均一に前記配管への熱輻射により空間を通して直接熱を移動させることができる。そのため、前記高温流体の温度を低下させずに、前記伸縮管における前記導入側から前記排出側に亘る表面温度のみを均一に低下させて、当該伸縮管の温度上昇を抑制することができる。その結果、前記高温流体による前記伸縮管の熱劣化を抑制して、当該伸縮管の長寿命化を図ることができる。
【００２０】
また、本発明に係る伸縮管冷却機構によれば、伸縮管の内部に、前記高温流体が導入される一方の開口部側からそれが排出される他方の開口部側まで延在する内部配管を配置させ、前記内側配管を前記開口部の一方に固定させることで、前記高温流体が内部配管内を流通することとなり、前記高温流体と前記伸縮管とが接触しなくなり、前記高温流体の熱が前記内部配管を介して伸縮管に伝達されることとなる。前記伸縮管は、前記筒状部材へ熱輻射により空間を通して直接熱を移動させることができる。
【００２１】
さらに、本発明に係る伸縮管冷却機構によれば、前記筒状部材を蛇腹状の第２の伸縮管とすることで、円筒状の筒状部材と比べて、表面積が広くなり、伸縮管は、前記第２の伸縮管への熱輻射により空間を通して直接熱をより活発に移動させることができる。伸縮管にフィンを設けることで、前記伸縮管からの放熱を促進することができる。前記高温物体となる面積が広くなり、前記伸縮管および前記フィンは、前記配管への熱輻射により空間を通して直接熱をより一層移動させることができる。そのため、前記高温流体の温度を低下させずに、前記伸縮管の表面温度のみを低下させて、当該伸縮管の温度上昇をより一層抑制することができる。
【発明を実施するための最良の形態】
【００２２】
以下に、本発明に係る伸縮管冷却機構を実施するための最良の形態を実施例に基づき具体的に説明する。
【実施例１】
【００２３】
以下に、本発明の第１の実施例に係る伸縮管冷却機構につき、図面を用いて具体的に説明する。
図１は、本発明の第１の実施例に係る伸縮管冷却機構の概略図であり、図１（ａ）にその断面、図１（ｂ）にその平面を示す。
【００２４】
本発明の第１の実施例に係る伸縮管冷却機構１０は、図１に示すように、内部に高温の流体（高温流体）１、例えば１０００℃程度の気体を流通させる、蛇腹状の蛇腹部２を有する伸縮管（ベローズ）３を冷却する伸縮管冷却機構であって、高温流体１より低温の低温流体４を流通させる配管５が、伸縮管３の周囲に当該伸縮管３全体を覆うように複数、図１（ｂ）では十二本設けられる。ここでは、配管５は、伸縮管３を中心としてその同心円状に且つ当該伸縮管３と接触しないように配置されると共に、隣接する配管５の間の距離が等しくなるように配置される。
【００２５】
低温流体４は、高温流体１よりも２００℃程度低い、またはそれ以上低ければ良い。低温流体４としては、空気等の気体や、水などの液体などが挙げられ、配管５を腐食させない流体であれば良い。
【００２６】
なお、高温流体１は、伸縮管３の下方から上方へ流通する。低温流体４は、配管５の下方から上方へ流通する。
【００２７】
したがって、本発明の第１の実施例に係る伸縮管冷却機構１０によれば、高温流体１により高温物体となる伸縮管３と、低温流体４により低温物体となる配管５とが対向して配置されることとなり、伸縮管３は、配管５へ熱輻射により空間を通して直接熱を移動させることができる。そのため、高温流体１の温度を低下させずに、伸縮管３の表面温度のみを低下させて、当該伸縮管３の温度上昇を抑制することができる。その結果、高温流体１による伸縮管３の熱劣化を抑制して、当該伸縮管３の長寿命化を図ることができる。また、構造自体が簡易であるので、製造コストの増加を抑制することができる。
【００２８】
また、高温流体１と低温流体４との温度差を２００℃以上とすることで、熱輻射を確実に生じさせて、高温流体１の温度を低下させずに、伸縮管３の表面温度のみを低下させて、当該伸縮管の温度上昇を抑制することができる。
【００２９】
なお、上記では、高温流体１と低温流体４とが同一方向に流通する伸縮管冷却機構１０を用いて説明したが、高温流体と低温流体とを異なる方向に流通させる伸縮管冷却機構としても良い。このような伸縮管冷却機構であっても、上述した本発明の第１の実施例に係る伸縮管冷却機構１０と同様な作用効果を奏する。
【００３０】
上記では、伸縮管３の延在方向と配管５の延在方向とが同一である伸縮管冷却機構１０を用いて説明したが、伸縮管の延在方向に対して所定の角度に延在する配管や屈曲して延在する配管を有する伸縮管冷却機構としても良い。このような伸縮管冷却機構であっても、上述した本発明の第１の実施例に係る伸縮管冷却機構１０と同様な作用効果を奏する。
【実施例２】
【００３１】
以下に、本発明の第２の実施例に係る伸縮管冷却機構につき、図面を用いて具体的に説明する。なお、本実施例に係る伸縮管冷却機構は、上述した本発明の第１の実施例に係る伸縮管冷却機構が有する配管の形状を変えたものであり、それ以外は同じである。よって、本実施例において、上記第１の実施例に係る伸縮管冷却機構と同一部材には、同一符号を付記しその説明を省略する。
図２は、本発明の第２の実施例に係る伸縮管冷却機構の概略図であり、図２（ａ）にその側面、図２（ｂ）にその断面を示す。
【００３２】
本発明の第２の実施例に係る伸縮管冷却機構２０では、図２に示すように、所定の径を持って螺旋状に延在する複数の配管２１が伸縮管３の周囲に当該伸縮管３全体を覆うように配置される。すなわち、配管２１は、伸縮管３の延在方向に対して所定の角度にて延在するように配置され、隣接する配管２１同士は、接して配置される。
【００３３】
ここでは、低温流体４は、配管２１の下方から上方へ流通する。これにより配管２１は所定の温度に維持される。さらに、配管２１同士が接するので、配管２１の伝熱により配管２１自体が所定の温度に維持される。
【００３４】
したがって、本発明の第２の実施例に係る伸縮管冷却機構２０では、上述した本発明の第１の実施例に係る伸縮管冷却機構１０と同様な作用効果を奏する他、配管２１の表面積が広くなり、少ない低温流体での冷却が可能となる。また、配管２１の熱伸びは横方向に広がることでひずみを吸収できるため当該配管２１の破損を防止できる。
【００３５】
なお、上記では、複数の配管２１を螺旋状に延在させた伸縮管冷却機構２０を用いて説明したが、１本の配管を螺旋状に延在させた伸縮管冷却機構としても良い。このような伸縮管冷却機構であっても、上述した本発明の第２の実施例に係る伸縮管冷却機構２０と同様な作用効果を奏する。
【００３６】
上記では、複数の配管２１を螺旋状に延在させた伸縮管冷却機構２０を用いて説明したが、２本以上の配管を縒り合わせ、縒り合わせた配管を螺旋状に延在させた伸縮管冷却機構としても良い。このような伸縮管冷却機構であっても、上述した本発明の第２の実施例に係る伸縮管冷却機構２０と同様な作用効果を奏する。
【実施例３】
【００３７】
以下に、本発明の第３の実施例に係る伸縮管冷却機構につき、図面を用いて具体的に説明する。なお、本実施例に係る伸縮管冷却機構は、上述した本発明の第１の実施例に係る伸縮管冷却機構が有する配管に接して筒状部材および固定部材を設けたものであり、それ以外は同じである。よって、本実施例において、上記第１の実施例に係る伸縮管冷却機構と同一部材には、同一符号を付記しその説明を省略する。
図３は、本発明の第２の実施例に係る伸縮管冷却機構の概略図であり、図３（ａ）にその断面、図３（ｂ）にその平面を示す。
【００３８】
本発明の第３の実施例に係る伸縮管冷却機構３０では、図３に示すように、伸縮管３を覆う円筒状の筒状部材３１が、複数の配管５における伸縮管３側に接して設けられる。この筒状部材３１は、配管５に固定される。また、複数の配管５における伸縮管３の反対側に接して円筒状の固定部材３２が設けられ、この固定部材３２に配管５が固定される。
【００３９】
ただし、隣接する配管５にて、高温流体１よりも２００℃程度低い、またはそれ以上低い低温流体３３ａ，３３ｂの流通方向が異なる。すなわち、低温流体３３ａは、高温流体１と同方向に流通しており、一つの配管５ではその下方から上方へ流通する。この配管５に隣接する配管５では、高温流体１と逆方向に流通しており、低温流体３３ｂが上方から下方へ流通する。
【００４０】
このように低温流体３３ａ，３３ｂを隣接する配管５にて異なる方向に流通させることで、配管５における低温流体３３ａ，３３ｂの流入側からその排出側に亘る温度のばらつきを隣接する配管５により均一化することができる。また、これら配管５が筒状部材３１と接するので、その長手方向にてほぼ均一な温度に保持することができる。その結果、伸縮管３は、伸縮管３における高温流体１の導入側からその排出側に亘って均一に筒状部材３１への熱輻射により空間を通して直接熱を移動させることができる。よって、高温流体１の温度を低下させずに、伸縮管３における前記導入側から前記排出側に亘る表面温度のみを均一に低下させて、当該伸縮管３の温度上昇を抑制することができる。その結果、高温流体１による伸縮管３の熱劣化を抑制して、当該伸縮管３の長寿命化を図ることができる。
【００４１】
したがって、本発明の第３の実施例に係る伸縮管冷却機構３０によれば、上述した本発明の第１の実施例に係る伸縮管冷却機構１０と同様な作用効果を奏する他、筒状部材３１を複数の配管５に接して設けたことで、低温流体４により配管５および筒状部材３１が低温物体となってその表面積が広くなり、高温流体１による高温物体となる伸縮管３から熱輻射をより効果的に発現させることができる。そのため、高温流体１の温度を低下させずに、伸縮管３の表面温度のみをより確実に下げることができる。その結果、高温流体１による伸縮管３の熱劣化を抑制して、当該伸縮管３の長寿命化を図ることができる。
【００４２】
なお、上記では、複数の配管５に接して円筒状の筒状部材３１を設けた伸縮管冷却機構３０を用いて説明したが、複数の配管５に接して多角形状の筒状部材を設けた伸縮管冷却機構としても良い。このような伸縮管冷却機構であっても、上述した本発明の第３の実施例に係る伸縮管冷却機構３０と同様な作用効果を奏する。
【００４３】
上記では、配管５における伸縮管３と反対側に筒状部材３１を接して設けた伸縮管冷却機構１０を用いて説明したが、この筒状部材を外し、配管と、前記配管における伸縮管と反対側に、当該配管と接して設けた固定部材とからなる伸縮管冷却機構としても良い。このような伸縮管冷却機構であっても、上述した本発明の第３の実施例に係る伸縮管冷却機構と同様な作用効果を奏する。
【実施例４】
【００４４】
以下に、本発明の第４の実施例に係る伸縮管冷却機構につき、図面を用いて具体的に説明する。なお、本実施例に係る伸縮管冷却機構は、上述した本発明の第３の実施例に係る伸縮管冷却機構が有する固定部材を削除する一方、配管の形状および筒状部材の形状を変えると共に、一方向に流通する低温流体に変えたものであり、それ以外は同じである。よって、本実施例において、上記第３の実施例に係る伸縮管冷却機構と同一部材には、同一符号を付記しその説明を省略する。
図４は、本発明の第４の実施例に係る伸縮管冷却機構の断面図である。
【００４５】
本発明の第４の実施例に係る伸縮管冷却機構４０では、図４に示すように、伸縮管３を覆う蛇腹状の蛇腹部４１を有する第２の伸縮管４２が、複数の配管４３に接して設けられる。この第２の伸縮管４２は、配管４３に固定される。また、複数の配管４３は、螺旋状に延在する。
【００４６】
ここでは、低温流体４は、配管４３の下方から上方へ流通する。これにより配管４３および第２の伸縮管４２が所定の温度に維持される。
【００４７】
したがって、本発明の第４の実施例に係る伸縮管冷却機構４０によれば、上述した本発明の第３の実施例に係る伸縮管冷却機構３０と同様な作用効果を奏する他、伸縮管３を覆う筒状部材を第２の伸縮管４２としたことで、円筒状の筒状部材と比べて、表面積が広くなり、伸縮管３は、第２の伸縮管４２への熱輻射により空間を通して直接熱をより活発に移動させることができる。そのため、高温流体１の温度を低下させずに、伸縮管３の表面温度のみを低下させて、当該伸縮管３の温度上昇をさらに抑制することができる。その結果、高温流体１による伸縮管３の熱劣化を抑制して、当該伸縮管３の長寿命化を図ることができる。また、構造自体が簡易であるので、製造コストの増加を抑制することができる。
【００４８】
なお、上記では、複数の配管４２にて、その一方（図中下方）から他方（図中上方）へ低温流体４を流通させる伸縮管冷却機構４０を用いて説明したが、隣接する配管にて低温流体の流通方向を異ならせるようにしても良い。このような伸縮管冷却機構であっても、上述した本発明の第４の実施例に係る伸縮管冷却機構４０と同様な作用効果を奏する他、これら配管に接する第２の伸縮管をその長手方向にてほぼ均一な温度に保持することができる。その結果、伸縮管は、第２の伸縮管への熱輻射により空間を通して直接熱をさらに一層活発に移動させることができ、伸縮管の長手方向において、その表面温度のみをほぼ均一に低下させることができる。
【実施例５】
【００４９】
以下に、本発明の第５の実施例に係る伸縮管冷却機構につき、図面を用いて具体的に説明する。なお、本実施例に係る伸縮管冷却機構は、上述した本発明の第３の実施例に係る伸縮管冷却機構が有する伸縮管内に内部配管を設けけたものであり、それ以外は同じである。よって、本実施例において、上記第３の実施例に係る伸縮管冷却機構と同一部材には、同一符号を付記しその説明を省略する。
図５は、本発明の第５の実施例に係る伸縮管冷却機構の概略図であり、図５（ａ）にその断面、図５（ｂ）にその平面を示す。
【００５０】
本発明の第５の実施例に係る伸縮管冷却機構５０では、図５に示すように、伸縮管３の内部に、高温流体１が導入される導入口３ａ側（一方の開口部側）からそれを排出する排出口３ｂ側（他方の開口部側）まで直線状に延在する内部配管（保護配管）５１を配置させ、その一方の開口部５１ａを当該伸縮管３の導入口３ａに固定させる。このように固定したことで、伸縮管３は軸方向に伸縮自在となる。なお、伸縮管３の排出口に内部配管５１の一方の開口部５１ａに対向する他方の開口部側のみを固定するようにしても良い。このような場合でも、伸縮管３は軸方向に伸縮自在となる。
【００５１】
上述したように内部配管５１を配置したことで、伸縮管３内に導入される高温流体１は、内部配管５１を通って伸縮管３の排出口３ｂから排出される。
【００５２】
したがって、本発明の第５の実施例に係る伸縮管冷却機構５０によれば、上述した本発明の第３の実施例に係る伸縮管冷却機構３０と同様な作用効果を奏する他、高温流体１が内部配管５１内を流通することとなり、高温流体１と伸縮管３とが接触しなくなり、高温流体１の熱が内部配管５１を介して伸縮管３に伝達されることとなる。この伸縮管３は、筒状部材３１へ熱輻射により空間を通して直接熱を移動させることができる。そのため、高温流体１の温度を低下させずに、伸縮管３の表面温度のみを低下させることができる。その結果、高温流体１による伸縮管３の熱劣化を抑制して、当該伸縮管３の長寿命化を図ることができる。
【実施例６】
【００５３】
以下に、本発明の第６の実施例に係る伸縮管冷却機構につき、図面を用いて具体的に説明する。なお、本実施例に係る伸縮管冷却機構は、上述した本発明の第２の実施例に係る伸縮管冷却機構が有する伸縮管にフィンを設けたものであり、それ以外は同じである。よって、本実施例において、上記第２の実施例に係る伸縮管冷却機構と同一部材には、同一符号を付記しその説明を省略する。
図６は、本発明の第６の実施例に係る伸縮管冷却機構の概略図である。
【００５４】
本発明の第６の実施例に係る伸縮管冷却機構６０では、図６に示すように、水平に延在するフィン６１が伸縮管３の伸縮部２に複数設けられる。
【００５５】
高温流体１により伸縮管３およびフィン６１が高温物体となる。すなわち、高温物体の表面積が伸縮管３だけのものに比べて広くなる。すなわち、前記高温物体にて熱輻射が行われる面積が広くなる。さらに、フィン６１により伸縮管３からの放熱を促進することができる。
【００５６】
したがって、本発明の第６の実施例に係る伸縮管冷却機構６０によれば、上述した本発明の第１の実施例に係る伸縮管冷却機構３０と同様な作用効果を奏する他、複数のフィン６１を伸縮管３に接して設けたことで、伸縮管３からの放熱を促進することができる。高温物体となる面積が広くなり、伸縮管３およびフィン６１は、配管２１への熱輻射により空間を通して直接熱をより一層移動させることができる。そのため、高温流体１の温度を低下させずに、伸縮管３の表面温度のみを低下させて、当該伸縮管３の温度上昇を抑制することができる。その結果、高温流体１による伸縮管３の熱劣化を抑制して、当該伸縮管３の長寿命化を図ることができる。また、構造自体が簡易であるので、製造コストの増加を抑制することができる。
【００５７】
なお、上記では、伸縮管３に設けられたフィン６１と、螺旋状に延在する配管２１を有する伸縮管冷却機構６０を用いて説明したが、上述した第１，第２，第４〜第６の実施例に係る伸縮管冷却機構１０，２０，４０，５０，６０にて伸縮管にフィンを設けて良い。このような伸縮管冷却機構であっても、上述した本発明の第７の実施例に係る伸縮管冷却機構と同様な作用効果を奏する。
【図面の簡単な説明】
【００５８】
【図１】本発明の第１の実施例に係る伸縮管冷却機構の概略図である。
【図２】本発明の第２の実施例に係る伸縮管冷却機構の概略図である。
【図３】本発明の第３の実施例に係る伸縮管冷却機構の概略図である。
【図４】本発明の第４の実施例に係る伸縮管冷却機構の概略図である。
【図５】本発明の第６の実施例に係る伸縮管冷却機構の概略図である。
【図６】本発明の第７の実施例に係る伸縮管冷却機構の概略図である。
【符号の説明】
【００５９】
１              高温流体
２              伸縮部
３              伸縮管
４              低温流体
５              配管
１０            伸縮管冷却機構
２０            伸縮管冷却機構
２１            配管
３０            伸縮管冷却機構
３１            筒状部材
３２            固定部材
３３ａ，３３ｂ  低温流体
４０            伸縮管冷却機構
４１            伸縮部
４２            第２の伸縮管
５０            伸縮管冷却機構
５１            内側配管（保護配管）
６０            伸縮管冷却機構
６１            フィン
【図１】
2008025754.tif 000003
【図２】
2008025754.tif 000004
【図３】
2008025754.tif 000005
【図４】
2008025754.tif 000006
【図５】
2008025754.tif 000007
【図６】
2008025754.tif 000008